(57)【要約】 【課題】  弁筐の高さを容易に調節でき、製造コストも少なくてすむ水道用の弁筐を提供する。【解決手段】埋設された水道管の制水弁の上層に台座Ｄを設置し、その上に下部筐体Ａを載せ、下部筐体Ａの上端に設けられた円環状の筐体取付部Ａ１を上部筐体Ｂ下端の円筒内に挿入して下部筐体Ａと接続する。この際に埋設される深さに合わせて上部筐体Ｂを切断し、弁筺本体２の高さを調節する。次に上部筐体Ｂの上端の適当な深さまで弁筺本体２を埋設して、土を押し固めた後に台座７を設置し、台座７に設けたアンカーボルト３６を取付ベース３１に設けたアンカーボルト挿入孔３２に挿入して蓋受枠本体３を台座７に載せ、ナット３７をアンカーボルト３６に螺合して蓋受枠本体３を台座７に固定する。このとき、上部筐体Ｂの外周部と上方には空隙５，６を設けるようにする。【選択図】図２
2017053126.tif 000002
【特許請求の範囲】
【請求項１】
合成樹脂製の上部筐体を下部筐体に着脱自在に設けた弁筐本体と、前記上部筐体の外周部と上方に空隙が形成される蓋受枠本体とから構成したことを特徴とする水道用の弁筐。
【請求項２】
下部筐体と、該下部筐体に植設される中間筐体と、該中間筐体に継手を介して接続される高さ調節用の調節用筐体とからなる弁筐本体と、前記調節用筐体の外周部と上方に空隙が形成される蓋受枠本体とから構成したことを特徴とする水道用の弁筐。
【請求項３】
補強用筐体を設けたことを特徴とする請求項１又は２記載の水道用の弁筐。
【請求項４】
前記蓋受枠本体の取付けベースにアンカーボルト挿入孔の他にジャッキ用ボルト取付用ねじ孔を設けると共に、前記取付ベースの外側に、前記蓋受枠本体の上面と同じ高さの略垂直な外壁を設けたことを特徴とする請求項１ないし３記載の水道用の弁筐。
【請求項５】
前記蓋受枠本体の内壁に吊り上げ用のフック掛部を設けたことを特徴とする請求項１ないし４記載の水道用の弁筐。
【発明の詳細な説明】
【技術分野】
【０００１】
本発明は、上水道設備における仕切弁の弁筐に関するものである。
【背景技術】
【０００２】
従来、水道の仕切弁の弁筐として図１に示す鋳物製のねじ式弁筐が用いられている。かかるねじ式弁筐１は外周に雄ねじを設けた蓋受枠を兼ねる上部筒体１ａと該上部筒体１ａを螺合した下部筒体１ｂとから構成されており、施工時に上部筒体１ａを回転させて上下させることによって上部筒体１ａに嵌合した鉄蓋１ｃの上面を路面と合わせる構成となっており、路面が道路の再舗装時や地震等により上下した場合であっても上部筒体１ａを回転させて新たな路面に合わせることができる。
【０００３】
しかし、前記ねじ式弁筐においては、ねじ構造の上部筒体と下部筒体を鋳造するのは難しく、また製造時に上部筒体と下部筒体を螺合しようとしても上手く回転しない等の不良品が発生しやすく、コスト高になっていた。また埋設後に上述したように路面の高さが変わってしまったとき、長期間の埋設によって錆が生じたり、ねじ部に土砂等が入って先行文献に示すような道具を用いないと回転できなくなり高さを調節できなくなるといった問題があった。
【０００４】
さらにねじ式弁筐は、上部円筒に嵌合した鉄蓋に加わる車両等の加重に耐えるようにするため弁筐全体の強度を高くする必要があり、そのために重量が増し、製品コストが高くなると共に輸送や設置作業等において取り扱いが困難といった問題があった。
【先行技術文献】
【特許文献】
【０００５】
【特許文献１】特開平１１−２４１３７７号公報
【非特許文献】
【０００６】
【非特許文献１】日本水道協会規格  ＪＷＷＡ  水道用ねじ式弁筐  (社)日本水道協会  平成１２年６月８日発行
【発明の概要】
【発明が解決しようとする課題】
【０００７】
そこで、本発明は、弁筐の高さを容易に調節でき、製造コストも少なくてすむ水道用の弁筐を提供することを課題とするものである。
【課題を解決するための手段】
【０００８】
本発明は、上記の課題を解決するためになされたもので、請求項１記載の発明は、合成樹脂製の上部筐体を下部筐体に着脱自在に設けた弁筐本体と、前記上部筐体の外周部と上方に空隙が形成される蓋受枠本体とから構成したことを特徴とする水道用の弁筐である。
【０００９】
請求項２記載の発明は、下部筐体と、該下部筐体に植設される中間筐体と、該中間筐体に継手を介して接続される高さ調節用の調節用筐体とからなる弁筐本体と、前記調節用筐体の外周部と上方に空隙が形成される蓋受枠本体とから構成したことを特徴とする水道用の弁筐である。
【００１０】
請求項３記載の発明は、請求項１又は２記載の発明において、補強用筐体を設けたことを特徴とする水道用の弁筐である。
【００１１】
請求項４記載の発明は、請求項１ないし請求項３記載の発明において、前記蓋受枠本体の取付ベースにアンカーボルト挿入孔の他にジャッキ用ボルト取付用ねじ孔を設けると共に、前記取付ベースの外側に、前記蓋受枠本体の上面と同じ高さの略垂直な外壁を設けたことを特徴とする水道用の弁筐である。
【００１２】
請求項５記載の発明は、請求項１ないし請求項４記載の発明において、前記蓋受枠本体内面に吊り上げ用のフック掛部を設けたことを特徴とする水道用の弁筐である。
【発明の効果】
【００１３】
請求項１記載の本発明によれば、再舗装や地震等で路面の高さが変わり、例えば路面が沈下した場合には弁筐の上部筐体が塩化ビニール製等の合成樹脂製であるため、カッター等により上部筐体の上方を切除して簡単に高さを合わせることができる。また路面が上昇した場合においては路面が沈下した場合に比べれば手間はかかるが、上部筐体は下部筐体に着脱自在に設けられているので、上部筐体を下部筐体から外し適当な長さの上部筐体に交換することで容易に弁筐の高さを調節することができる。また上部筐体を交換する際には弁筐全体を掘り起こす必要がなく弁筐全体を取り替えるのに比べてコストが少なくてすむ。
【００１４】
また、従来のねじ式弁筐の場合、路面に勾配がある場合に全体を路面勾配に合わせて据付ける必要があったが、上部筐体の外周部と上方に空隙が形成されているため、蓋受枠本体の据付を調整することで対応することができる。
【００１５】
また、上部筐体が合成樹脂製であることから鋳物製のものと比べてコストがかからず、重量も軽い。更に弁筐が上部と下部に分かれているので取り扱いが簡便で、設置作業が楽に行えるという効果がある。
【００１６】
請求項２記載の本発明によれば、再舗装や地震等で路面の高さが変わった場合において、弁筐の上方にある調節用筐体は継手から簡単に取り外すことができるため、調節用筐体のみを必要な長さのものに交換するか、現場で調節用筐体を切断して長さを調節することにより弁筐の高さを容易に調節でき、調節するのは弁筐の一部である調節用筐体のみであるため、高さを変更するための手間とコストが少なくてすむ。また中間筐体と調節用筐体を繋ぐ継手をゴム等の弾性体で構成することで、施工時に周辺の土やアスファルトを押し固める際に弁筐にかかる側圧や地震等の揺れを緩和することができる。
【００１７】
次に、請求項３記載の発明によれば、補強用筐体により上部筐体や中間筐体や調節用筐体が前述の施工時に周辺の土やアスファルトを押し固める際に弁筐にかかる側圧や地震等の揺れ等の外部環境から保護される効果がある。
【００１８】
次に、請求項４記載の発明によれば、上記の効果に加え、路面の高さが変わった場合に、蓋受枠本体の周辺を掘り返すことなく、蓋受枠本体の固定用ナットを外し、次いでジャッキ用ボルト取付用ネジ孔にジャッキ用ボルトを螺合して蓋受枠を浮上させて蓋受枠を取り外し、蓋受枠と台座の間に高さ調節用のスペーサーを挿入することで路面の高さの変化に対応することができる。
【００１９】
次に、請求項５記載の発明によれば、フック掛部に吊り上げ装置のフックを掛け、蓋受枠本体を吊り上げるこができるため、蓋受枠本体の周辺を掘り返すことなく、蓋受枠本体と受座の間に高さ調節用のスペーサーを挿入することで路面の高さの変化に対応することができる効果がある。
【図面の簡単な説明】
【００２０】
【図１】従来のねじ式弁筐の一例の縦断面図である。
【図２】本発明の実施例１の縦断面図である。
【図３】本発明の実施例２の縦断面図である。
【図４】本発明の実施例３の縦断面図である。
【図５】本発明の実施例４の縦断面図である。
【図６】本発明の実施例５の縦断面図である。
【実施例１】
【００２１】
図２は本発明の第１の実施例の縦断面図で、２は水道用の弁筐本体、３は蓋受枠本体である。前記弁筐本体２は鋳物製の下部筐体Ａと下部筐体Ａの筐体取付部Ａ１の外側に嵌合した塩化ビニール製の円筒形状の上部筐体Ｂとで構成され、Ｃは上部筐体の上部に嵌め込んだ水や土砂等が弁筺本体１の内部に入るのを防止するための内蓋、Ｄは弁筐本体２が設置されるレジンコンクリート製や再生プラスチック製の環状の台座である。
【００２２】
また蓋受枠本体３は、取付ベース３１に適数のアンカーボルト挿入孔３２と適数のジャッキボルト用ねじ孔３３を設け、前記取付ベース３１の外側には、蓋受枠本体３の上面と同じ高さの略垂直な外壁３４が設けられ、内壁には適数の吊り上げ用フック掛部３５が設けられていて、蓋受枠本体２の大きさは上部筐体Ｂと、鉄蓋４との間に空隙５，６が形成される大きさに作られている。なお、図中３６はアンカーボルト、３７はナット、７は再生プラスチック製、レジンコンクリート製、鋳物製等の環状の台座である。
【００２３】
本実施例の弁筺の施工方法について説明すると、埋設された水道管の仕切弁の上層に台座Ｄを設置し、その上に下部筐体Ａを載せ、下部筐体Ａの上端に設けられた円環状の筐体取付部Ａ１の外側に上部筐体Ｂ下端を嵌合して下部筐体Ａと接続する。この際上部筐体Ｂの上端と鉄蓋４間に空隙ができる長さに上部筐体Ｂ上部を切断し、弁筺本体１の高さを調節する。
【００２４】
次に台座７を設置する位置まで、埋め戻し後、地盤を押し固め、台座７を設置した後、台座７に設けたアンカーボルト３６を取付ベース３１に設けたアンカーボルト挿入孔３２に挿入して蓋受枠本体３を台座７に載せ、ナット３７をアンカーボルト３６に螺合して蓋受枠本体３を台座７に固定する。このようにして蓋受枠本体３を据え付けた後、仮舗装の状態で、埋め戻し土を含めて地盤をできるだけ安定させた上で、本舗装を施工する。
【００２５】
なお、弁筺本体２を埋設する前に上部筐体Ｂを切断して弁筺本体２の高さを調節したが、弁筺本体２を埋設した後に蓋受枠本体３を仮設して高さを確認した後に上部筐体Ｂの上端を切断してもよい。
【００２６】
本実施例によれば、施工後に再舗装や地震等で路面が下がった場合に、上部の空隙６の範囲ならば調節する必要はないが、それ以上の場合は蓋受枠本体３を外して上部筐体Ｂの上端を切断することで弁筺本体２の高さを調節することができる。
【００２７】
また 施工後に再舗装や地震等で路面が上がった場合には、上部筐体Ｂと下部筐体Ａは着脱自在に接続されているので、上部筐体Ｂを引き抜いて、適当な長さに調節した上部筐体に交換するか、後述する実施例のように継手により上部筐体Ｂの上に円筒管を追加接続することで弁筺本体２の高さを調節することができることと相俟って優れたものである。
【００２８】
そして、分割式であるため、重い(例えば９０ｋｇ)従来のねじ式弁筺に比べ、上部筐体Ｂが塩化ビニール製であることと相俟って弁筐本体２は軽く、施工時の取り扱いが簡便で作業性が良く、しかもねじ式弁筐と比べて錆による問題もなく簡単に高さを調節することができる。
【００２９】
また、弁筺本体２の高さを調節してなくてもよい場合は、ナット３７を外してジャッキボルト用取付部３３にジャッキボルト(図示せず)を螺合して蓋受枠本体３を浮上させるか、又はフック掛部３５，３５に吊り上げ装置のフックを掛けて蓋受枠本体３を吊り上げることにより蓋受枠本体３を取り外し、蓋受枠本体３と台座７の間にスペーサー（図示せず）を入れることで蓋受枠本体３の鉄蓋４の上面を路面に合わせることができる。かかる場合には蓋受枠本体３の周辺を掘り下げることがないため、施工が簡単で且つコストが少なくてすむ。更に空隙５，６を設けたことにより勾配のある路面の場合にも対応できる特長がある
【実施例２】
【００３０】
図３は本発明の第２の実施例の縦断面図で、２１は弁筺本体、Ａは鋳物製の下部筐体、Ａ１は下部筐体Ａの上端に設けられた円環状の筐体取付部、Ｂ１，Ｂ２は塩化ビニール製の円筒形状の中間筐体と高さ調節用の調節用筐体、Ｃは調節用筐体Ｂ２の上部に嵌めこむ水や土砂等が弁筺本体２１の内部に入るのを防止するための内蓋、Ｄは弁筐本体２１が設置されるレジンコンクリート製や再生プラスチック製の環状の台座、Ｅは中間筐体Ｂ１と高さ調節用の調節用筐体Ｂ２を接続するための断面が横Ｔ字状の例えば合成ゴム製の弾性の継手、３は蓋受枠本体でその構成は上記実施例１と同様である。
【００３１】
本実施例の弁筺本体２１は下部筐体Ａ１の筐体取付部の外側に中間筐体Ｂ１の下端を嵌合し、中間筐体Ｂ１の上端と調節用筐体Ｂ２の下端を継手Ｅに挿入嵌合して構成される。中間筐体Ｂ１と調節用筐体Ｂ２が塩化ビニール製のため軽く、取り扱いも簡便であり、埋設時に弁筺本体１の高さを調節する際にも中間筐体Ｂ１の高さまで埋設して現場の状況に合わせて調節用筐体Ｂ２のみ切断して容易に調節することができる。
【００３２】
また施工後に再舗装や地震等で路面が上下した場合には、調節用筐体Ｂ２の上端を切断したり、調節用筐体Ｂ２を適当な長さのものに交換することで、弁筺本体２１の所要の高さを容易に調節することができる。この場合調節用筐体Ｂ２のみ切断又は交換するだけでよいので実施例１に比べて手間とコストが少なくてよい。
【００３３】
また継手Ｅが弾性の継手であるため、除雪時に蓋受枠本体３に側圧を受けた場合や地震等による揺れを緩和することができる。
【００３４】
なお、継手Ｅの断面形状を横Ｔ字状としているが、中間筐体Ｂ１と調節用筐体Ｂ２の内面も支持するように断面形状をＨ字状のものであってもよい。
【００３５】
また、弁筺本体２１の高さを調節してなくてもよい場合の蓋受枠本体３による効果は実施例１と同様である。
【実施例３】
【００３６】
図４は本発明の第３の実施例の縦断面図で、２２は弁筺本体、Ａ２は鋳物製の下部筐体、Ａ３は下部筐体Ａ２の上端に設けられた円環状の筐体取付部、Ｂ３，Ｂ４は塩化ビニール製の円筒形状の中間筐体と高さ調節用の調節用筐体、Ｃは調節用筐体Ｂ４の上部に嵌め込んだ水や土砂等が弁筺本体２２の内部に入るのを防止するための内蓋、Ｄは弁筐本体２２が設置されるレジンコンクリート製や再生プラスチック製の環状の台座、Ｅ１は中間筐体Ｂ３と高さ調節用の調節用筐体Ｂ４を接続するための合成ゴム等から成る環状の弾性の継手、３は蓋受枠本体でその構成は上記実施例１と同様である。
【００３７】
前記中間筐体Ｂ３は調節用筐体Ｂ４より口径が大きい円筒状の筐体であり、口径が大きいため制水弁を操作する作業が行いやすく、また継手Ｅ１はアーチ形状をしているため側圧に対する強度が高いという効果がある。
【実施例４】
【００３８】
図５は、本発明の第４の実施例の縦断面図で、２３は弁筺本体、Ａ４は鋳物製の下部筐体、Ｂ１，Ｂ２は塩化ビニール製の円筒形状の中間筐体と高さ調節用の調節用筐体、Ｃは調節用筐体Ｂ２の上部に嵌め込んだ水や土砂等が弁筺本体２３の内部に入るのを防止するための内蓋、Ｄは弁筐本体２３が設置されるレジンコンクリート製や再生プラスチック製の環状の台座、Ｅは中間筐体Ｂ１と高さ調節用の調節用筐体Ｂ２を接続するための断面が横Ｔ字状の弾性の継手、Ｆは塩化ビニール製の補強用筐体、Ｇは中間筐体Ｂ１と補強用筐体Ｆ間に流し込んだモルタルである。３は蓋受枠本体でその構成は上記実施例１と同様である。
【００３９】
Ａ５は下部筐体Ａ４の上端に設けられた円環状の筐体取付部で、中間筐体Ｂ１と補強用筐体Ｆの下端を筐体取付部の嵌合溝Ａ６に挿入嵌合して中間筐体Ｂ１と補強用筐体Ｆを下部筐体Ａ４に取付け、中間筐体Ｂ１と補強用筐体Ｆの間にモルタルＧを流し込み両者を一体化して強度の補強を図ることができる。
【００４０】
本実施例によれば、前記実施例２によりも補強筐体Ｆを設けたことにより周辺の土やアスファルトを押し固める際に弁筐にかかる側圧や地震等の揺れ等の外部環境に耐えることができる。
【実施例５】
【００４１】
図６は、本発明の第５の実施例の縦断面図で、２４は弁筺本体、Ａ４は鋳物製の下部筐体、Ｂ１，Ｂ２は塩化ビニール製の円筒形状の中間筐体と高さ調節用の調節用筐体、Ｃは調節用筐体Ｂ２の上部に嵌め込んだ水や土砂等が弁筺本体２４の内部に入るのを防止するための内蓋、Ｄは本体１が設置されるレジンコンクリート製、再生プラスチック製等の環状の台座、Ｅ２は中間筐体Ｂ１と高さ調節用の調節用筐体Ｂ１及び後記する補強用筐体Ｆ１とＦ２を接続するための断面がＨ字状で環状の弾性の継手、Ｆ１，Ｆ２は塩化ビニール製の補強用筐体、Ｇはモルタル、３は蓋受枠本体でその構成は上記実施例１と同様である。
【００４２】
本実施例の弁筺本体２４は、同等の長さの中間筐体Ｂ１と補強用筐体Ｆ１の下端を筐体取付部Ａ５の嵌合溝Ａ６に挿入嵌合して中間筐体Ｂ１と補強用筐体Ｆ１を下部筐体Ａ４に取付け、中間筐体Ｂ１と補強用筐体Ｆ１の間にモルタルＧを流し込み、中間筐体Ｂ１と補強用筐体Ｆ１の上端を継手Ｅ２の下部に嵌合させ、調節用筐体Ｂ２と補強用筐体Ｆ２の下端を継手Ｅ２の上部に挿入嵌合して構成される。
【００４３】
補強用筐体Ｆ２は塩化ビニール製のため施工前後おいて容易に適当な長さに調節をすることができる。
【００４４】
本実施例によれば、実施例４の効果に加えて、中間筐体Ｂ１と調節用筐体Ｂ２が補強筐体Ｆ１とＦ２に覆われているので、周辺の土やアスファルトを押し固める際に弁筐にかかる側圧や地震等の揺れ等の外部環境に、より耐えることができる。
【００４５】
また補強筐体Ｆ２が台座７を支持しているため、地震により弁筺本体２４と蓋受枠本体３の間の地層が液状化した場合であっても蓋受枠本体３が弁筺本体２４に支持されているため、弁筺本体２４の上層にある蓋受枠本体３が沈下することを防止することができる。
【符号の説明】
【００４６】
２          弁筺本体
Ａ          下部筐体
Ａ１        筐体取付部
Ｂ          上部筐体
Ｃ          内蓋
Ｄ，７      台座
３          蓋受枠本体
４          鉄蓋
５，６      空隙
３１        取付ベース
３２        アンカーボルト挿入孔
３３        ジャッキボルト用ねじ孔
３４        外壁
３５        フック掛部
３６        アンカーボルト
３７        ナット
【図１】
2017053126.tif 000003
【図２】
2017053126.tif 000004
【図３】
2017053126.tif 000005
【図４】
2017053126.tif 000006
【図５】
2017053126.tif 000007
【図６】
2017053126.tif 000008